(57)【特許請求の範囲】
【請求項１】
熱可塑性合成樹脂の剛性を有するパイプ（９）であって、加温することにより可撓性が付与される管に、ベルト（１０）に水膨潤ゴムよりなる摩擦抵抗部材（１１）を固着してなる牽引部材（１２）を挿通し、当該管を温水又は蒸気による流体圧力で内側が外側となるように反転すると共に、前記管の未反転部（１３）内に前記温水又は蒸気に起因する水を侵入せしめ、前記管の反転部分（５）から突出した牽引部材（１２）を管路（１）内を通して牽引し、反転部分（５）を管路（１）内を進行せしめることにより当該管路（１）内に反転した管を配置することを特徴とする、管路内に管を形成する方法
【発明の詳細な説明】
【０００１】
【発明の属する技術分野】
本発明は管路の補修などを目的として、管路の内面に沿って新たな剛直な管を形成するための方法に関するものであって、特に管路内にポリエチレンなどの剛性を有する合成樹脂の管を形成する方法に関するものである。
【０００２】
【従来の技術】
従来から、ポリエチレンなどのある程度の剛性を有する合成樹脂のパイプを、管路の一端から押し込むか又は引き込むことにより長尺に亙って挿通し、当該パイプで管路を内張りすることが行われている。
【０００３】
しかしながらこの方法では、管路に屈曲部などがある場合にはパイプがその屈曲に追従することができず、管路の所要の箇所の全長に亙って挿通することができない場合があるため、そのパイプを加温して可撓性を付与した状態で、反転工法により管路内に挿通することが考えられた。
【０００４】
反転工法は、ホース状の柔軟な内張り材を、流体圧力で内側が外側となるように反転しながら、その反転部分を管路内を進行せしめ、反転した内張り材を前記流体圧力で管路内面に圧接すると共に、当該内張り材に含浸させた硬化性樹脂液を硬化させて剛性を付与し、管路を内張りする工法であって、従来から広く知られている。
【０００５】
またこの工法は、反転した内張り材を硬化性樹脂液で管路内面に接着することもできるが、内張り材と管路とを接着することなく、管路内に当該管路から遊離した剛直な管を形成することも行われている。
【０００６】
而して前記ポリエチレンなどのパイプは反転工法における内張り材に比べると大幅に剛直であるため、かかるパイプを内側が外側となるように反転することはできないが、これを加温することによりパイプに反転が可能となる程度の可撓性を付与し、前記反転工法を適用しようとするものである。
【０００７】
しかしながら、ポリエチレンなどのパイプを加温して可撓性を付与しても、流体圧力のみで反転が進行し得る程度の高度の可撓性を付与するのは困難であり、また過度の可撓性を付与すると、反転部分でパイプが膨れて変形したり、破裂するなどの問題が生じる。
【０００８】
而して前記反転工法において、内張り材内に全長に亙って紐状長尺物を挿通しておき、前記反転部分から突出した紐状長尺物を管路内を通して牽引し、内張り材の反転を補助すると共に、屈曲部における反転部分の進行を誘導する方法があり、特公昭５９−１２９１１号に記載されている。
【０００９】
図４はこの方法を示すものであって、管路１の一端に圧力容器２が設けられ、当該圧力容器２の吐出口３に内張り材４の端末が結合されており、圧力容器２内の流体圧力が内張り材４の反転部分５に作用し、当該反転部分５において内張り材４は内側が外側となるように反転しながら管路１内を進行する。
【００１０】
そして未反転の内張り材４内にベルトなどの紐状長尺物６が挿通されており、当該紐状長尺物６が前記反転部分５から突出し、その先端が管路１の他端側から牽引装置７で牽引されるようになっている。
【００１１】
而してこの方法では、流体圧力により未反転の内張り材４の内面が紐状長尺物６に圧接され、当該紐状長尺物６を牽引することにより、図２に示すように内張り材４の未反転部分を牽引して反転部分５における反転を促すと共に、管路１の屈曲部８においては、紐状長尺物６が反転部分５における屈曲の内側を抑えて反転を抑制し、屈曲の外側の反転が促されることにより、反転部分５が屈曲部８に沿ってスムーズに通過し、内張りし得るのである。
【００１２】
【発明が解決しようとする課題】
しかしながら、この方法を内張り材４に代えて前記ポリエチレンなどのパイプ９について行う反転工法に適用すると、パイプ９の表面が滑らかであって紐状長尺物６との摩擦が小さいため、紐状長尺物６を牽引したときにその牽引力が未反転のパイプ９に適切に伝わらず、部分的に紐状長尺物６のみがパイプ９から滑って進行し、図３に示すように未反転のパイプ９が蛇腹状に座屈して、反転部分５におけるパイプ９の反転を促す力とならないことがある。
【００１３】
また一旦このような座屈が生じると、その座屈した箇所が反転部分５に到達しても、座屈により生じたくせが残り、反転部分５においてスムーズに反転することができなくなり、反転の進行が不可能となる。
【００１４】
本願発明はかかる事情に鑑みなされたものであって、前記ポリエチレンなどのパイプ９を使用して、スムーズに反転工法により管路１内に管を形成することのできる方法を提供することを目的とするものである。
【００１５】
【課題を解決するための手段】
而して本発明は、熱可塑性合成樹脂の剛性を有するパイプであって、加温することにより可撓性が付与される管に、ベルトに水膨潤ゴムよりなる摩擦抵抗部材を固着してなる牽引部材を挿通し、当該管を温水又は蒸気よりなる流体圧力で内側が外側となるように反転すると共に、前記管の未反転部内に前記温水又は蒸気に起因する水を侵入せしめ、前記管の反転部分から突出した牽引部材を管路内を通して牽引し、反転部分を管路内を進行せしめることにより当該管路内に反転した管を配置することを特徴とするものである。
【００１７】
【発明の実施の形態】
図１は本発明により管路１内に反転工法で管を形成する方法を示すものであって、（ａ）はパイプ９の反転部分を示す中央縦断面図であり、（ｂ）は（ａ）におけるＢ−Ｂ断面図である。
【００１８】
而してこの方法においては、反転工法に供する管としてポリエチレンのパイプ９が使用され、当該パイプ９の未反転部１３内に、前述の方法における紐状長尺物６に代えて、柔軟なベルト１０に摩擦抵抗部材１１を固着してなる牽引部材１２が挿通されている。
【００１９】
このベルト１０としては、繊維を織成してなる柔軟で且つ十分な強度を有するものが好ましく、またこれに固着される摩擦抵抗部材１１は、十分に柔軟であって摩擦抵抗が大きく、パイプ９の内面にぴったりと密着して容易に滑らない素材を使用するのが好ましい。
【００２０】
本発明においてはこの摩擦抵抗部材１１の素材として水膨潤ゴムが使用されており、流体圧力として温水又は蒸気が使用されているので、パイプ９の未反転部１３内に侵入した水により水膨潤ゴムが膨潤して軟化し、パイプ９により強く密着して摩擦抵抗が増大する。またこの摩擦抵抗部材１１は、牽引部材１０の両面に設けるのが好ましいが、片面のみであってもよい。
【００２１】
またベルト１０に摩擦抵抗部材１１を固着する手段としては特に限定されるものではないが、ベルト１０を牽引したときに両者の固着が分離されないものであることが必要である。例えば柔軟な接着剤により接着し、また糸で縫合して固着して牽引部材１２とすることができる。
【００２２】
而してこの状態で図５に示すように、パイプ９の反転部分から突出する牽引部材１２を管路１に通して牽引しながら、圧力容器２に圧力流体を送入して反転部分５に流体圧力を作用させ、当該反転部分５でパイプ９を反転させつつ、当該反転部分５を管路１を進行させるのである。
【００２３】
なおパイプ９がポリエチレンなどの剛直な合成樹脂よりなる場合には、当該パイプ９を加温して軟化させ、反転が可能となる程度の可撓性を付与しつつ、前記反転工法を行う。加温の手段としては、圧力容器２内に加温した圧力流体を送入することによりパイプ９を加温することができる。
【００２４】
【作用】
本発明においては、パイプ９の未反転部１３は扁平であり、且つ外側から流体圧力が作用しているため、牽引部材１２の表面の摩擦抵抗部材１１はパイプ９の未反転部１３の内面に押し付けられて密着する。
【００２５】
そのため牽引部材１２を牽引したときに、牽引部材１２がパイプ９の未反転部１３の内面に対して滑ることがなく、牽引部材１２に加わる牽引力が摩擦力によってパイプ９の未反転部１３に伝達され、そのパイプ９の未反転部１３は全体に亙って牽引部材１２を介して牽引され、前述のような蛇腹状の座屈が生じることがない。
【００２６】
【発明の効果】
従って本発明によれば、ポリエチレンのように反転工法の適用が困難な素材のパイプ９においても、従来の方法をそのまま適用した場合のように、パイプ９の未反転部１３が蛇腹状に座屈したり、反転が不能となったりするようなことがなく、牽引部材１２でパイプ９の未反転部１３を牽引して反転部分５における反転の進行を促し、スムーズな反転工法を行うことができる。
【００２７】
なお本発明は、ポリエチレンなどの合成樹脂のパイプ９を使用した工法に限られるものではなく、従来一般に使用されている柔軟な内張り材４を使用した反転工法においてもそのまま適用可能であり、内張り材４の未反転部分をより確実に牽引し、スムーズに反転を進行させることができる。
【図面の簡単な説明】
【図１】  本発明によりパイプが反転する状態を示すものであって、（ａ）は主要部の中央縦断面図であり、（ｂ）は（ａ）におけるＢ−Ｂ断面図である。
【図２】  従来の反転工法における内張り材が反転する状態を示す主要部の中央縦断面図
【図３】  従来の方法により合成樹脂のパイプが反転する状態を示す主要部の中央縦断面図
【図４】  従来の反転工法により管路内に内張りする状態を示す、中央縦断面図
【図５】  本発明により管路内に管を形成する状態を示す、中央縦断面図
【符号の説明】
１  管路
５  反転部分
９  パイプ
１０  ベルト
１１  摩擦抵抗部材
１２  牽引部材
【図１】
0004137484.tif 000002
【図２】
0004137484.tif 000003
【図３】
0004137484.tif 000004
【図４】
0004137484.tif 000005
【図５】
0004137484.tif 000006